(57)【要約】【課題】使用された石鹸による、容器の汚れやヌメリ及び水切りの不具合によるヌメリの付着により浴室内床場の滑りによる転倒防止をも目的とされる。【解決手段】石鹸を石鹸ケースで包み込むように収納して、外側石鹸ケースの上面は石鹸塗り付け用多孔面を形成し、内側石鹸ケースは排液が滞留しない様なスキマと形状を有し水切れが容易な排液用の帯状多孔面を形成し、石鹸は石鹸ケースから取り出さずに収納されたまま使用する形態の石鹸ケースを提供し、上述にある種々の問題点を解決する。【選択図】    図５
2005073802.tif 000002
【特許請求の範囲】
【請求項１】
石鹸ケースは、外側石鹸ケースと内側石鹸ケースから成っているが、従来型の石鹸ケースとは石鹸の収納形態が異なり、且つ、石鹸は石鹸ケースに収められたままの状態で使用される石鹸ケースであって、その断面形状はおおまかに言って逆Ｕ字形をしている。そして、内側石鹸ケースの上方一段細く絞られた胴回り上部曲面の大半部分を窪ませて、窪みの上に石鹸が載り、その石鹸の上に外側石鹸ケースが被さり、石鹸を石鹸ケースで包み込むように収納して、石鹸と上下の石鹸ケースとの間には殆どスキマが無い様に石鹸の一部形状を有す様に形成した石鹸ケースで、石鹸が消耗するとその分上下の石鹸ケース間隔は狭まる様式の石鹸ケースである。外側石鹸ケースのケース胴回りは石鹸外形より幾分大きくて、ケース上部は石鹸の外形曲線に類似した一部形状を有し、手・タオル・スポンジ・垢擦り等に、内部の石鹸が適度に塗り付けられる様に、面積の半分以上は空間となる多孔面を形成する。そして、外側石鹸ケースに緩やかに嵌合する様に、内側石鹸ケースのケース胴回りは少しのスキマを持って内側に収まる形状寸法を有し、且つ、上方で一段細く絞られて水切れが容易な様にケース間に多少の空間隔を有し、その境界線の上下範囲帯状部に排液用の多孔面を形成して成す石鹸ケース。
【請求項２】
当該石鹸ケース外部に、当該石鹸ケースを清潔に保ちながら、床面から上に安定して置かれるように、また、容易に当該石鹸ケースを取り上げられるように、別に一枚物材料からプレス成形によって作られた専用スタンドを備えることを、特徴とする請求項１に記載の石鹸ケース。
【発明の詳細な説明】
【技術分野】
【０００１】
本発明は、人体並びにその他動物等の体部を洗う時や、衣類等の洗濯分野に於いて、使用する固体石鹸を収納する容器に関する。
【背景技術】
【０００２】
従来からある石鹸ケースは、底蓋やケース本体に複数の水抜き孔を設けたり、格子状に配列形成した形状を取ることにより水切りとしていたが、実際には石鹸が溶解し容器に付着するいわゆるヌメリによって、そのほとんどが水切りとして又は水貫としての役割をしなかった。
【０００３】
また、石鹸にヌメリが発生し始めると、石鹸を取ろうとして手を伸ばしても旨く掴めずに、石鹸は手から床面に滑り落ち不潔になるとか、旨く掴まれても石鹸をタオルに塗ろうとするとタオルに触れたヌメリの殆どが一度に沢山クッツキその所は石鹸がベッタリに成り気持ち悪く感じる場合も起こる。しかも、石鹸の消耗が著しく早くなる傾向が大いにある。
【０００４】
また、容器自体が石鹸のヌメリによって汚れるため、使用後石鹸を取り除き清掃しない限り不快感を与えた。また従来のほとんどの容器は石鹸を入れたときに石鹸自体が蓋の役割をし、ケース本体に入った水を逃がすことができず、中に密封された水によって石鹸の消耗と品質が低下する原因となった。
【０００５】
尚、石鹸ケースの役割はあくまでも石鹸の収納にあるが、現状ではただ容れておくことができれば良いと言うだけの物も多く、実用と利便さという点からは、かけ離れた物も多く存在した。
【０００６】
これら欠点に加え、石鹸のヌメリによる浴室内床場においては、常に床上が滑り、特に危険とされる要因となっていた。
【特許文献１】特開２００３−１９９６８４号公報
【発明の開示】
【発明が解決しようとする課題】
【０００７】
本発明は、上記の問題を解決すべく使用された石鹸による、容器の汚れ及び水切りの不具合による、石鹸の消耗や品質低下を防ぐと共に、上述欠点により排出された石鹸水によって床面の滑りによる転倒や、ヌメリと汚れを防止する事を目的とする。
【課題を解決するための手段】
【０００８】
前記の問題点を解決すべく点は、石鹸の表面が剥き出しのまま使用され容易にヌメリが発生する点に問題の原因が有りと着目した。本発明は、その点に対して石鹸を石鹸ケースで包み込むように収納して、外側石鹸ケースの上面は石鹸塗り付け用の多孔面を形成し、内側石鹸ケースは排液が滞留しない様なスキマと形状を有し水切れが容易な排液用の帯状多孔面を形成して、石鹸は石鹸ケースから取り出さずに収納されたまま使用する形態の石鹸ケースを提供し、上述にある種々の
問題点を解決する。
【発明の効果】
【０００９】
本発明の環境に優しい石鹸ケースは、使用後の水の溜まりを防ぎ、石鹸ケース内部の汚れおよびヌメリを解消すると共に、石鹸の消耗や品質低下を防ぐ。このことは、石鹸ケース内の清掃を軽減するばかりでなく、経済効率の良好化につながる、また、石鹸は適度な消耗が行われるので家庭排液濃度の低下につながるものである。更に、浴室内で使用される石鹸のヌメリによる、床上が汚れるという清掃衛生面に対して、効果を発揮することは勿論、転倒し怪我につながる重要な問題を未然に防ぐことは、本発明によって、最大の効果を顕すことができる。
【発明を実施するための最良の形態】
【００１０】
以下に本発明における環境に優しい石鹸ケースの実施例を、図１から図９までの添付図面に基づいて具体的に説明する。図１は石鹸の正面図と平面図であり、図２は外側石鹸ケースの正面図（右半分は断面図）と平面図であり、図３は内側石鹸ケースの正面図（右半分は断面図）と平面図であり、図４は外側石鹸ケースと内側石鹸ケースを合体した本発明の石鹸ケースの正面図（右半分は断面図）である。図５は石鹸ケースに新品石鹸を収納した形態図を正面図（右半分は断面図）で示してあり、図６は石鹸ケース内で石鹸が消耗した形態図を正面図（右半分は断面図）で示している。図７はスタンドを一枚物材料から作る材料取り図である。図８は一枚物材料をプレス成形するスタンドの製作図である。図９は石鹸を収納した石鹸ケースをスタンドにセットした状態を正面図と平面図で表したものです。
【００１１】
図２に示されるように、その断面形状はおおまかに言って逆Ｕ字形をした外側石鹸ケースに於いて、ケース胴回りは石鹸外形より幾分大きくて、ケース上部は石鹸の外形曲線に類似した一部形状を有し、手・タオル・スポンジ・垢擦り等に、内部の石鹸が適度に塗り付けられる様に、面積の半分以上は空間となる多孔面を形成する。
【００１２】
図３に示されるように、その断面形状はおおまかに言って逆Ｕ字形をした内側石鹸ケースに於いて、ケース胴回りは外側石鹸ケースに緩やかに嵌合するように少しのスキマを持って内側に収まる形状寸法を有し、且つ、上方で一段細く絞られて水切れが容易な様にケース間に多少の空間隔を有し、その境界線の上下範囲帯状部に排液用の多孔面を形成して、ケース上部曲面は石鹸の外形曲線に類似した一部形状を有し、外側石鹸ケースとは逆方向下側に上部曲面の大半部分を窪ませて、石鹸と上下になる石鹸ケースとの間には殆どスキマが無い様に石鹸の一部形状を有す様に形成する。
【００１３】
以上が本発明の構成であるが、本発明の石鹸ケースは石鹸を石鹸ケースで包み込むように収納する事項と２ヶ所の多孔面部分を有していれば、その他の部位形成は、素材の選択肢により異なる場合がある。ここに示す外側・内側石鹸ケースの下端のつば構造は石鹸ケースが取り扱いようにと付属させた物で、使い便利な材料で作ると不要になる場合も生じます。また、多孔面の構成も、網仕様か薄板仕様かで孔の大きさ・形状・数も変化が生じます。
【００１４】
この様に、本発明に用いられる石鹸ケース及びその構成は、汚れヌメリ等が簡便に除去できる表面の滑らかな材質のものが望ましく、例えばステンレス材・プラスチック材・合成樹脂材等々材質の限定は無く、全て本発明に包含されるものである。
【００１５】
他の一実施例として、石鹸ケースは石鹸と同じものとして扱うので浴室の床面に直接置く事は避けて、衛生的に取り扱われる様。拠って専用スタンドを利用して、スタンドの上に石鹸ケースを置くようにする。スタンドは一枚物材料からプレス成形によって作られるもので、スタンドの脚に成った空間部分に指を運ぶと石鹸ケースの下端のつば部に掛かるように成っています。
【図面の簡単な説明】
【００１６】
【図１】石鹸の正面図と平面図です。
【図２】外側石鹸ケースの正面図（右半分は断面図）と平面図です。
【図３】内側石鹸ケースの正面図（右半分は断面図）と平面図です。
【図４】外側石鹸ケースと内側石鹸ケースを合体した本発明の石鹸ケースの正面図（右半分は断面図）です。
【図５】石鹸ケースに新品石鹸を収納した形態図を正面図（右半分は断面図）で示している。
【図６】石鹸ケース内で石鹸が消耗した形態図を正面図（右半分は断面図）で示している。
【図７】スタンドを一枚物材料から作る材料取り図である。
【図８】一枚物材料をプレス成形するスタンドの製作図である。
【図９】石鹸を収納した石鹸ケースをスタンドにセットした状態を正面図と平面図で表したものです。
【符号の説明】
【００１７】
１：外側石鹸ケースのケース胴回り。
２：外側石鹸ケースのケース上部。
３：外側石鹸ケースのつば構造。
４：内側石鹸ケースのケース胴回り。
５：内側石鹸ケースのケース上部。
６：内側石鹸ケースのつば構造。
７：内側石鹸ケースの水切れ境界線。
８：内側石鹸ケースの境界線上下範囲の帯状部。
９；内側石鹸ケースの排液用の多孔面。
【図１】
2005073802.tif 000003
【図２】
2005073802.tif 000004
【図３】
2005073802.tif 000005
【図４】
2005073802.tif 000006
【図５】
2005073802.tif 000007
【図６】
2005073802.tif 000008
【図７】
2005073802.tif 000009
【図８】
2005073802.tif 000010
【図９】
2005073802.tif 000011